(57)【要約】    【課題】  歩行者、特に高齢者や障害者等に対する安全性を向上した建具の表板を提供することを課題とする。    【解決手段】  建具１の開口部１１を開閉する平板状の表板１２であって、表板１２の４辺の木口面１２ａ〜１２ｄのうち、少なくとも１つの木口面１２ａ〜１２ｄに帯状の被覆部材３０を貼付すると共に、その被覆部材３０に当該表板１２を開閉操作するための凹陥部３０ａを設けた。凹陥部３０ａを被覆部材３０の長手方向全体に亘って設けた。被覆部材３０は、表板１２の表面と同様の色調及び木目模様を有し、その模様を該被覆部材３０の肉厚内部にわたって設け、凹陥部３０ａの内面にもその木目模様が露呈する一方、被覆部材３０の両側部に丸みを設けた。【選択図】    図２
2005097857.tif 000002
【特許請求の範囲】
【請求項１】
建具の開口部を開閉する平板状の表板であって、表板の４辺の木口面のうち、少なくとも１つの木口面に帯状の被覆部材が貼付されていると共に、その被覆部材に当該表板を開閉操作するための凹陥部が設けられていることを特徴とする建具の表板。
【請求項２】
建具の引出しの前板を構成する表板であって、表板の４辺の木口面のうち、少なくとも１つの木口面に帯状の被覆部材が貼付されていると共に、その被覆部材に当該表板を操作して引出しを開閉するための凹陥部が設けられていることを特徴とする建具の表板。
【請求項３】
凹陥部は、被覆部材の長手方向全体に亘って設けられていることを特徴とする請求項１または請求項２に記載の建具の表板。
【請求項４】
凹陥部は、被覆部材の長手方向に沿って部分的に設けられていることを特徴とする請求項１または請求項２に記載の建具の表板。
【請求項５】
凹陥部の引き手前側の角は、鋭角状とされるかまたは小さな丸みが設けられていることを特徴とする請求項１から請求項４のいずれかに記載の建具の表板。
【請求項６】
凹陥部を挟む部分が同じ高さとされていることを特徴とする請求項１から請求項５のいずかに記載の建具の表板。
【請求項７】
表板の開閉操作用の凹陥部が設けられた被覆部材側近傍の裏面に固定されると共に、該裏面に沿って被覆部材から突出する板部材が備えられていることを特徴とする請求項１から請求項６のいずれかに記載の建具の表板。
【請求項８】
被覆部材は、表板表面と同様の色調を有することを特徴とする請求項１から請求項７のいずれかに記載の建具の表板。
【請求項９】
被覆部材は、表板表面と同様の木目模様を有すると共に、その模様は該被覆部材の肉厚内部にわたって設けられて、凹陥部内面にもその木目模様が露呈されていることを特徴とする請求項１から請求項８のいずれかに記載の建具の表板。
【請求項１０】
被覆部材は、両側部に丸みが設けられていることを特徴とする請求項１から請求項９のいずれかに記載の建具の表板。
【発明の詳細な説明】
【技術分野】
【０００１】
本発明は、建具の表板、より詳しくは、扉や引出しの前板に関し、建具の技術分野に属する。
【背景技術】
【０００２】
一般に、吊り戸棚、システムキッチン、食器棚等の建具には、開口部を開閉するための平板状の扉が備えられると共に、該扉の表面には、把手やノブ等が取り付けられ、これを操作することによって開閉が行われる。一方、上記建具には引出しが備えられることがあり、この引出しの開閉においても引出しの前板の表面に設けられた把手が操作される。例えば、特許文献１には、扉と引出しの一般的な構成が開示されている。これによると、扉や引き出しの前板の表面に突出する把手が設けられており、この把手を操作することにより開閉が行われるようになっている。
【０００３】
【特許文献１】特開２００２−２６６５４５号公報
【発明の開示】
【発明が解決しようとする課題】
【０００４】
ところで、扉及び引出しを把手やノブ等によって開閉する場合、歩行者が服等をこれらに引っ掛けたり、これらにつまづいたりする可能性がある。特に、高齢者や障害者（とりわけ車椅子使用者）等の場合、把手やノブ等の突起物をとっさに避けることができない場合が多く、この問題は顕著となる。
【０００５】
そこで、本発明は、歩行者、特に高齢者や障害者等に対する安全性を向上した建具の表板を提供することを課題とする。
【課題を解決するための手段】
【０００６】
上記課題を解決するため、本発明は次のように構成したことを特徴とする。
【０００７】
まず、本願の請求項１に記載の発明は、建具の開口部を開閉する平板状の表板であって、表板の４辺の木口面のうち、少なくとも１つの木口面に帯状の被覆部材が貼付されていると共に、その被覆部材に当該表板を開閉操作するための凹陥部が設けられていることを特徴とする。
【０００８】
次に、請求項２に記載の発明は、建具の引出しの前板を構成する表板であって、表板の４辺の木口面のうち、少なくとも１つの木口面に帯状の被覆部材が貼付されていると共に、その被覆部材に当該表板を操作して引出しを開閉するための凹陥部が設けられていることを特徴とする。
【０００９】
次に、請求項３に記載の発明は、上記請求項１または請求項２に記載の建具の表板において、凹陥部は、被覆部材の長手方向全体に亘って設けられていることを特徴とする。
【００１０】
次に、請求項４に記載の発明は、上記請求項１または請求項２に記載の建具の表板において、凹陥部は、被覆部材の長手方向に沿って部分的に設けられていることを特徴とする。
【００１１】
次に、請求項５に記載の発明は、上記請求項１から請求項４のいずれかに記載の建具の表板において、凹陥部の引き手前側の角は、鋭角状とされるかまたは小さな丸みが設けられていることを特徴とする。
【００１２】
次に、請求項６に記載の発明は、上記請求項１から請求項５のいずれかに記載の建具の表板において、凹陥部を挟む部分が同じ高さとされていることを特徴とする。
【００１３】
次に、請求項７に記載の発明は、上記請求項１から請求項６のいずれかに記載の建具の表板において、表板の開閉操作用の凹陥部が設けられた被覆部材側近傍の裏面に固定されると共に、該裏面に沿って被覆部材から突出する板部材が備えられていることを特徴とする。
【００１４】
次に、請求項８に記載の発明は、上記請求項１から請求項７のいずれかに記載の建具の表板において、被覆部材は、表板表面と同様の色調を有することを特徴とする。
【００１５】
次に、請求項９に記載の発明は、上記請求項１から請求項８のいずれかに記載の建具の表板において、被覆部材は、表板表面と同様の木目模様を有すると共に、その模様は該被覆部材の肉厚内部にわたって設けられて、凹陥部内面にもその木目模様が露呈されていることを特徴とする。
【００１６】
次に、請求項１０に記載の発明は、上記請求項１から請求項９のいずれかに記載の建具の表板において、被覆部材は、両側部に丸みが設けられていることを特徴とする。
【発明の効果】
【００１７】
まず、請求項１及び請求項２に記載の発明によれば、扉あるいは引出しの前板のような表板を開閉するための凹陥部を木口面に貼付した被覆部材に設けることにより、建具の表面から把手やノブ等の突起物を排除することができるから、歩行者が突起物に服等を引っ掛けたり突起物につまづいたりすることを防止することができ、特に高齢者や障害者（とりわけ車椅子使用者）等に対して安全な建具の表板が提供される。
【００１８】
次に、請求項３に記載の発明によれば、凹陥部を被覆部材の長手方向全体に亘って設けたことによって、建具の開口部を開閉するために操作できる範囲が大きくなり、例えば、腰の曲がった人、背の低い人、車椅子使用者に対して手が届きやすい構造となる。また、被覆部材の製造の際、例えば樹脂の押し出し成形により容易に凹陥部を形成することができるので、凹陥部の加工工程を削減することができる。
【００１９】
次に、請求項４に記載の発明によれば、凹陥部を被覆部材の一部に設けることによって、装飾性を向上することができる。
【００２０】
次に、請求項５に記載の発明によれば、凹陥部の引き手前側の角を鋭角または小さな丸みとしたことによって、凹陥部に指が引っ掛かりやすくなり、開閉動作を容易に行うことができる。
【００２１】
次に、請求項６に記載の発明によれば、被覆部材の凹陥部を挟む突出部分を同様の高さとすることによって、この突出部分への引っ掛かりやつまづきを防止することができる。さらに、被覆部材を表板の木口面に接合する際、木口面に熱可塑性の樹脂等を塗布して被覆部材を貼り付けたときの温度低下を利用して接合することがある。このとき、ローラ等により被覆部材を木口面にプレスすることによって上記接合が行われることがあるが、ローラのプレス圧が被覆部材に均等に掛からない場合は接合不良となる可能性があるため、手作業で被覆部材を貼り付けざるを得ない。そこで、上記突出部分を同様の高さとすることによって、ローラを用いた接合の際、被覆部材に均等にプレス圧が掛かるようになり、ローラを用いた接合が可能になり、省人化を維持することができる。
【００２２】
次に、請求項７に記載の発明によれば、所謂観音開き型の建具において、表板の開閉操作用の凹陥部が設けられた被覆部材側近傍の裏面に固定すると共に、該裏面に沿って被覆部材から突出する板部材を供えたことによって、表板表面から突起物を排除することができると共に、開閉のための指を入れる空間を確保しつつ板部材によって開口部全体を閉じることができる。
【００２３】
次に、請求項８に記載の発明によれば、被覆部材を表板表面と同様の色調とすることによって、建具の色調を統一することができるので、装飾性が向上する。
【００２４】
次に、請求項９に記載の発明によれば、凹陥部は例えば被覆部材を工具で削ることによって形成されるが、請求項４に記載の発明によれば、被覆部材を肉厚内部にまで木目模様を設けることによって、凹陥部を形成したとき、該凹陥部に自動的に木目模様が露呈するので、凹陥部の塗装等の手間を省くことができる。
【００２５】
そして、請求項１０に記載の発明によれば、被覆部材の両側部に丸みを設けることにより、被覆部材の角部が保護されると共に、歩行者に対しても安全な構造となる。
【発明を実施するための最良の形態】
【００２６】
以下、本発明に係る実施の形態について説明する。
【００２７】
まず、図１及び図２に示す表面に木目模様が施された収納庫１は、前方に開口して内部に物品を収納する箱状の本体１０と、開口部１１を開閉する平板状の扉１２とを有する。そして、扉１２は、開閉支点となる図例上右側の木口面１２ａと、開閉操作する左側の木口面１２ｂと、及び上下の木口面１２ｃ，１２ｄとを有し、開閉支点となる木口面１２ａには一対のヒンジ２０，２０が備えられている。扉１２は、該ヒンジ２０，２０を中心に揺動自在に本体１０と連結している。
【００２８】
そして、扉１２には、開閉操作側の木口面１２ｂに被覆部材３０が貼付されている。図３及び図４に示すように、被覆部材３０は、例えば２〜５ｍｍの厚みを有し、上記木口面１２ｂを覆う幅と長さとを有する樹脂製の帯状の部材であり、裏面には熱可塑性の樹脂等の接着剤が塗布されて上記木口面１２ｂに貼付される。また、被覆部材３０の４辺には丸み部３０ｂ…３０ｂが設けられている。さらに、被覆部材３０には、指を掛けて開閉操作を行うための凹陥部３０ａが設けられている。該凹陥部３０ａは指を掛けるために十分な幅と深さとを有し、長手方向全体に亘って設けられている。このとき、被覆部材３０の引き手前側と開口部側の立ち上がり部３０ｃ，３０ｃとは同じ高さとされている。
【００２９】
また、図４に示すように、収納庫１の表面と被覆部材３０には、同様の木目模様が施されている。
【００３０】
以上の構成により、扉１２の木口面１２ｂに被覆部材３０を貼付し、該被覆部材３０に凹陥部３０ａを設けて開閉操作を行うように構成したことによって、扉１２ひいては収納庫１の表面から把手やノブ等の突起物を排除することができるから、歩行者が突起物に服等を引っ掛けたり突起物につまづいたりすることを防止することができ、特に高齢者や障害者（とりわけ車椅子使用者）等に対して安全な収納庫１が実現される。
【００３１】
また、凹陥部３０ａを被覆部材３０の長手方向全体に亘って設けたことによって、収納庫１の開口部１１を開閉するために操作できる範囲が大きくなり、例えば、腰の曲がった人、背の低い人、車椅子使用者に対して手が届きやすい構造となる。また、被覆部材３０の製造の際、例えば樹脂の押し出し成形により容易に凹陥部を形成することができるので、凹陥部３０ａの加工工程を削減することができる。
【００３２】
このとき、被覆部材３０の引き手前側と開口部側の立ち上がり部３０ｃ，３０ｃとを同じ高さとすることによって、この立ち上がり部３０ｃ，３０ｃへの引っ掛かりやつまづきを防止することができる。さらに、被覆部材３０を扉１２の木口面１２ｂに接合する際、木口面１２ｂに熱可塑性の樹脂等を塗布して、被覆部材３０を貼り付けたときの温度低下を利用して接合することがある。このとき、ローラ等で被覆部材３０を木口面１２ｂにプレスすることによって接合されることがあるが、ローラのプレス圧が被覆部材３０に均等に掛からない場合は接合不良となる可能性があるため、手作業で貼り付け作業を行わなければならない。しかし、上記立ち上がり部３０ｃ，３０ｃを同じ高さとすることによって、ローラを用いた接合の際に被覆部材３０に均等にプレス圧が掛かることになり、ローラによる自動的な接合が可能になり、省人化を維持することができる。
【００３３】
また、被覆部材３０の４辺に表面側のみに丸み部３０ｂ…３０ｂを設けたことによって、被覆部材３０の角部を保護することができ、角部の磨耗・損傷を防止すると共に、歩行者に対しても安全な構造となる。
【００３４】
また、木口面１２ｂに貼付する被覆部材３０と扉１２を同様の色調にすることによって、収納庫１の色調を統一することができるので、収納庫１の装飾性を向上することができる。特に、上記収納庫１は木目模様を有する場合が多く、被覆部材３０に木目模様を施すことによって、収納庫１の色柄を木目模様に統一することができ、装飾性を向上することができる（図１、図２、図４参照）。
【００３５】
なお、被覆部材３０は、開閉支点側の木口面１２ａ以外の３つの木口面１２ｂ〜１２ｄのいずれに貼付してもよく、また、被覆部材３０に凹陥部３０ａを任意に設けることができる。
【００３６】
次に、被覆部材の別の例について説明する。なお、特に混乱を招かない限り、上記実施の形態と共通する構成要素には同一符号を付することにする。まず、図５に示すように、被覆部材３１は、引き手前側（図例上右側）の凹陥部３１ａを深めに形成し、立ち上がり部３１ｃの内側の角部３１ｄを鋭角または小さな丸みを持つように設定することができる。このように構成することによって、凹陥部３１ａに指が掛かりやすくなり、扉１２の開閉を容易に行うことができる。
【００３７】
一方、前述のように押し出し成形によって被覆部材３０に凹陥部３０ａを形成することもあるが、図６に示すように、例えば、回転させた工具Ｘに被覆部材３０を押し付け、被覆部材３０を矢印の方向に走査させることによって加工することもある。
【００３８】
この場合、被覆部材３０を肉厚内部にまでわたって木目模様を設けることによって、樹脂を加熱ロ−ル（図示せず）で圧延して成形することによって、凹陥部３０ａの削り加工を施しても（図６に示すように工具Ｘで削っても）該凹陥部３０ａには自動的に木目模様が露呈することになり、別途塗装等の手間を省くことができる。
【００３９】
また、本実施の形態については、被覆部材３０の長手方向全体に亘って凹陥部３０ａを設けた収納庫１について説明したが、図７及び図８に示すように、凹陥部３２ａを被覆部材３２に対して部分的に設けた収納庫２でもよい。このように、凹陥部３２ａを部分的に設けることによって、装飾性が向上する。また、凹陥部３２ａを被覆部材３２の部分的に設ける場合、押し出し成形によって形成することは困難であるので、前述のような工具Ｘで加工することによって凹陥部３２ａを形成すればよい。このとき、前述した作用と同様の作用が得られる。なお、１つの被覆部材３２に複数の凹陥部３２ａを設けてもよい。
【００４０】
また、本発明は、前述した実施の形態に限定されるものではなく、例えば図９に示すように所謂下開きの収納庫３に適用してもよい。この場合、扉１２は、図例上上側の木口面１２ａにヒンジ２０，２０を備え、該木口面１２ａを開閉支点に扉１２は揺動する。一方、被覆部材３３，３３は、扉１２の左右の木口面１２ｃ，１２ｄにそれぞれ貼付されている。そして、貼付された被覆部材３３，３３には、それぞれ長手方向全体に亘る凹陥部３３ａ，３３ａが設けられ、これらの凹陥部３３ａ，３３ａに両手の指をそれぞれ掛けて操作することにより扉１２の開閉が行われる。
【００４１】
また、図１０に示すように、同様に、扉１２の図例上上側の木口面１２ａにヒンジ２０，２０を備えた下開きの収納庫４において、下側の木口面１２ｂ及び左右の木口面１２ｃ，１２ｄに凹陥部３０ａを設けない被覆部材３４′，３４′を貼付すると共に、下側の木口面１２ｂに凹陥部３０ａを設けた被覆部材３４を貼付し、この凹陥部３４ａに指を掛けて開閉操作するようにしてもよい。なお、左右の木口面１２ｃ，１２ｄに貼付された被覆部材３４′，３４′にも凹陥部を設けてもよい。
【００４２】
一方、図１１に示す収納庫５は、所謂観音開き型のものである。収納庫５の開口部１１の左右両側にそれぞれ一対のヒンジ２０…２０が備えられ、左右一対の扉１２，１２はそれぞれヒンジ２０…２０を中心に揺動自在に連結されている。木口面１２ｂ，１２ｂにそれぞれ備えられた被覆部材３５，３５の開口部１１側にはそれぞれ隙間部材４０，４０が対向する被覆部材３５，３５側に突出するように取り付けられている。
【００４３】
図１２に示すように、隙間部材４０は、取付具４１（釘またはタッカー）によって扉１２に固定される板部４０ａと、該板部４０ａから被覆部材３５側に突出して該被覆部材３５の立ち上がり部３５ｃに係合する係合部４０ｂと、上記板部４０ａに一端を固着されて上記取付具４１の頭部を覆うパッキン４０ｃとを有する。板部４０ａは硬質の樹脂で成形されている一方、パッキン４０ｃは軟質の樹脂で成形されている。そして、両方の扉１２，１２を閉じたとき、板部４０ａ，４０ａの被覆部材３５，３５側の先端が近接し、開口部１１を閉じるようになっている。このとき、板部４０ａ，４０ａの引き手前側の被覆部材３５，３５の間にはスペースＳが形成され、該スペースＳを介して凹陥部３５ａに指を挿入することができる。一方、パッキン４０ｃは、取付具４１の頭を覆い隠して安全性を向上することができる。
【００４４】
なお、隙間部材４０は、一方の扉１２のみに取り付けて板部４０ａが両扉１２，１２間の隙間を閉じるようにしてもよい。また、隙間部材４０を取り付ける代わりに、被覆部材３５の開口側に所定の高さの突起が形成されるように被覆部材３５の立ち上がりを形成したものであってもよい。また、被覆部材３５の角部に丸みを設けてもよい。
【００４５】
一方、図１３に示す収納庫６は、本体５０及び複数の引出し５１…５１を備えている。該引出し５１は、上方に開口する箱状とされ、また、手前側の壁を形成する前板５２を有し、引出し５１が閉じているときには上記前板５２が本体５０よりも手前側に位置するようになっている。また、前板５２は４辺に木口面５２ａ〜５２ｄを有し、図例上上側の木口面５２ａに被覆部材３６が貼付されている。そして、該被覆部材３６には凹陥部３６ａが設けられている。引出し５１は、該凹陥部３６ａに指を掛けて開閉操作される。このとき、木口面５２ｂ〜５２ｄに被覆部材３６を貼付してもよく、貼付した被覆部材３６には任意に凹陥部３６ａを設けることができる。なお、１つの被覆部材３６に複数の凹陥部３６ａを設けてもよい。
【００４６】
このように、引出し５１の前板５２の木口面５２ａに被覆部材３６を貼付し、該被覆部材３６に凹陥部３６ａを設けて開閉操作を行うように構成したことによって、収納庫６の前板から把手やノブ等の突起物を排除することができるから、歩行者が前板に設けられた突起物に服等を引っ掛けたり突起物につまづいたりすることを防止することができ、特に高齢者や障害者（とりわけ車椅子使用者）等に対して安全な収納庫６の構造となる。
【００４７】
さらに、収納庫６においても上記収納庫１と同様に、被覆部材３６及び凹陥部３６ａと前板５２との色調または木目模様を統一して収納庫６の装飾性を向上することができる。
【産業上の利用可能性】
【００４８】
本発明は、歩行者、特に高齢者や障害者等に対する安全性を向上した建具の表板を提供するもので、建具の表板、より詳しくは、扉や引出しの前板に関し、建具の技術分野に広く好適である。
【図面の簡単な説明】
【００４９】
【図１】本発明に係る収納庫を示す斜視図である。
【図２】同収納庫の扉を開いたときの斜視図である。
【図３】図２におけるＡ−Ａ線による拡大断面図である。
【図４】図２における凹陥部周辺の拡大図である。
【図５】被覆部材の形状を変えたときの被覆部材の拡大断面図である。
【図６】凹陥部の加工例を示す説明図である。
【図７】被覆部材に部分的に凹陥部を設けたときの収納庫を示す斜視図である。
【図８】同収納庫の凹陥部周辺の拡大図である。
【図９】被覆部材を左右の木口面に貼付し、被覆部材に凹陥部を設けた下開きの収納庫を示す斜視図である。
【図１０】被覆部材を下側及び左右の木口面に貼付し、下側の被覆部材に凹陥部をを設けた下開きの収納庫を示す斜視図である。
【図１１】本発明に係る観音開き型の収納庫を示す斜視図である。
【図１２】同収納庫における扉を閉じたときの被覆部材及び隙間部材の拡大断面図である。
【図１３】本発明に係る引出しを有する収納庫を示す斜視図である。
【符号の説明】
【００５０】
１〜６              収納庫（建具）
１２                扉（表板）
１２ａ〜１２ｄ      木口面
３０〜３６          被覆部材（被覆部材）
３０ａ〜３６ａ      凹陥部
３０ｂ，３１ｂ      丸み部
３０ｃ，３１ｃ，３５ｃ      立ち上がり部（凹陥部を挟む部分）
３１ｄ              角
４０                隙間部材（板部材）
５１                引出し
５２                前板（表板）
５２ａ〜５２ｄ      木口面
【図１】
2005097857.tif 000003
【図２】
2005097857.tif 000004
【図３】
2005097857.tif 000005
【図４】
2005097857.tif 000006
【図５】
2005097857.tif 000007
【図６】
2005097857.tif 000008
【図７】
2005097857.tif 000009
【図８】
2005097857.tif 000010
【図９】
2005097857.tif 000011
【図１０】
2005097857.tif 000012
【図１１】
2005097857.tif 000013
【図１２】
2005097857.tif 000014
【図１３】
2005097857.tif 000015